(57)【特許請求の範囲】
【請求項１】
駆動電流によりバーナへのガス供給路を開閉する開閉弁と、
前記バーナにおける炎により加熱されて加熱温度から熱起電力を発生する熱電対と、
熱起電力が所定レベル以上であるとき、炎有りの信号を送出する炎検知回路と、
前記開閉弁の駆動電流回路において前記開閉弁の一端側に介在する第１スイッチ手段と、
前記駆動電流回路において前記開閉弁の他端側に介在する第２スイッチ手段と、
前記開閉弁が通電状態であって前記炎検知回路からの信号により炎無しと判断される場合、前記バーナにおける失火と判断して前記第１スイッチ手段を導通状態から遮断状態へ切替える失火対処回路と、
前記失火対処回路への入力を実際の熱電対の出力に基づく第１の信号と炎無しを示す固定レベルの第２の信号とへ切替える第３スイッチ手段と、
点火シーケンスの実施に先立ち前記失火対処回路の診断シーケンスを実施する診断手段と、
を備え、
前記失火対処回路は、失火検知時以外は、第１スイッチ手段を導通状態に保持するものであり、
前記診断手段は、
前記診断シーケンスの第１段階では、
前記第２スイッチ手段を遮断状態にして、前記第１スイッチ手段と前記第２スイッチ手段との間の検査電圧を調べ、
該検査電圧が前記第１スイッチ手段の遮断状態を示すものであれば、前記点火シーケンスの実施は保留し、
該検査電圧が前記第１スイッチ手段の導通状態を示すものであれば、前記診断シーケンスの第２段階へ移行し、
前記診断シーケンスの第２段階では、
前記第３スイッチ手段により前記失火対処回路への入力を前記第２の信号にした状態であって前記第２スイッチ手段を導通状態にした状態の前記検査電圧を調べ、
前記検査電圧が前記第１スイッチ手段の導通状態を示すものであれば、前記点火シーケンスの実施は保留することを特徴とするガス燃焼装置。
【請求項２】
請求項１記載のガス燃焼装置において、
前記失火対処回路は、前記開閉弁と前記第２スイッチ手段との間の電圧が前記第２スイッチ手段の導通状態から遮断状態への変化を示すものであれば、前記開閉弁が非通電であると判断し、前記第１スイッチ手段を遮断状態から導通状態へ切替えるものであり、
前記診断手段は、
前記診断シーケンスの第２段階において、前記検査電圧が前記第１スイッチ手段の遮断状態を示すものであれば、前記診断シーケンスの第３段階へ移行し、
前記診断シーケンスの第３段階では、
前記第２スイッチ手段を導通状態から遮断状態へ切替えてから、前記検査電圧を調べ、
前記検査電圧が前記第１スイッチ手段の遮断状態を示すものであれば、前記点火シーケンスの実施は保留することを特徴とするガス燃焼装置。
【請求項３】
請求項１又は２記載のガス燃焼装置において、
前記失火対処回路は、前記開閉弁と前記第２スイッチ手段との間の電圧が前記第２スイッチ手段が導通状態となったときに、タイマを作動開始させて、該タイマの設定時間経過した時に、前記炎検知入力に基づき前記バーナにおける失火の有無を判断し失火検知時には前記第１スイッチ手段を導通状態から遮断状態へ切替えるものであり、
前記診断手段は、前記診断シーケンスにおける前記タイマの設定時間を、前記点火シーケンスにおける前記タイマの設定時間より短くするものであることを特徴とするガス燃焼装置。
【発明の詳細な説明】
【技術分野】
【０００１】
本発明は、ガス湯沸かし器等のガス燃焼装置に関し、特に失火検知時にはバーナへのガス供給を遮断するガス燃焼装置に関する。
【背景技術】
【０００２】
ガス湯沸かし器等のガス燃焼装置では、バーナの失火検知時に、バーナへのガス供給路を閉止する処理をマイコンと失火対処回路とにより二重に行うようにしている。また、失火検知時のガス供給路の閉止処理は、マイコンが失火対処回路に先行して実施することになっている。
【０００３】
したがって、マイコンの失火対処処理に作動不良が生じているときには、失火対処回路による失火対処処理が実施されるため、マイコンの失火対処処理に作動不良があることが直ちに分かる。しかし、マイコンによる失火対処処理が正常であれば、失火対処回路が正常、不良にかかわらず、マイコンにより失火対処処理が行われてしまう。そのため、失火対処回路の作動不良が生じた状態で、バーナが燃焼するおそれがある。
【０００４】
特許文献１は、炎検知回路によりバーナにおける炎を検知し、失火対処回路が炎検知回路からの検知信号に基づき失火を検知して、失火検知時にはガス供給路を閉止するガス燃焼装置を開示する（特許文献１の図１）。該ガス燃焼装置は、失火対処回路が正常に作動するかを調べる診断シーケンスを、燃焼運転開始指令があるごとに、点火シーケンスに先立ち実施している（特許文献１の段落００２０及び図２）。
【０００５】
特許文献２は、バーナの炎により加熱される熱電対の出力から炎の有無を検知する炎検知回路を備えるガス燃焼装置を開示する（特許文献２の図１）。該ガス燃焼装置では、熱電対と炎検知回路との間にスイッチを介在させ、スイッチの遮断状態時に、炎検知回路が炎有りを出力していれば、該炎検知回路の作動不良が生じていると判断する（特許文献２の図３）。
【０００６】
特許文献３は、バーナの炎により加熱される熱電対の出力から炎の有無を検知する炎検知回路を備えるガス燃焼装置を開示する（特許文献３の図２）。該ガス燃焼装置では、熱電対と炎検知回路との接続回路をスイッチにより適宜、アースへ接続できるようにし、該スイッチの導通状態時に、炎検知回路から、熱電対の０ｍＶの出力に対応する温度とは異なる温度が出力されたときには、炎検知回路の作動不良が生じていると判断して、ガス供給路を強制的に閉止するようにしている（特許文献３の段落００１０）。
【０００７】
特許文献４は、バーナの炎により加熱される熱電対の出力から炎の有無を検知する炎検知回路を備えるガス燃焼装置を開示する（特許文献４の図２）。該ガス燃焼装置では、炎検知回路の入力側を熱電対又は所定電圧発生部へ切替えるスイッチを設け、炎検知回路の入力側が所定電圧発生部へ接続されている時に、もし、熱電対が所定電圧発生部の電圧と同一の電圧を炎検知回路へ出力しているときの炎検知回路の正常出力とは、異なる出力を炎検知回路が出力していたとすれば、炎検知回路の作動不良が生じていると判断して、ガス供給路を強制的に閉止するようにしている（特許文献４の段落０００９）。
【先行技術文献】
【特許文献】
【０００８】
【特許文献１】特開２００４−９３０４７号公報
【特許文献２】特開平５−２１５３２７号公報
【特許文献３】特開平９−６０８６５号公報
【特許文献４】特開平９−６０８６６号公報
【発明の概要】
【発明が解決しようとする課題】
【０００９】
特許文献１のガス燃焼装置では、炎検出に熱電対を用いており、バーナのガス燃焼終了から間もない期間に燃焼指示があったときには、熱電対に余熱が残っているため、診断シーケンスにおいて、実際には消火状態にあるにもかかわらず、燃焼状態と判断してしまうので、該失火対処回路が失火検知時にガス供給路を正しく閉止するか否かを診断することが困難である。
【００１０】
特許文献２〜４のガス燃焼装置は、炎検知回路が正常であるか否かを診断するのみであり、マイコンとは別に設けた失火処理回路が正常に作動するかまでは診断することはできない。
【００１１】
本発明の目的は、熱電対の余熱等のために熱電対の出力が炎の実際の有無を示していない状況においても、点火前に失火対処回路を正しく診断することができるガス燃焼装置を提供することである。
【課題を解決するための手段】
【００１２】
第１発明のガス燃焼装置は、駆動電流によりバーナへのガス供給路を開閉する開閉弁と、前記バーナにおける炎により加熱されて加熱温度から熱起電力を発生する熱電対と、熱起電力が所定レベル以上であるとき、炎有りの信号を送出する炎検知回路と、前記開閉弁の駆動電流回路において前記開閉弁の一端側に介在する第１スイッチ手段と、前記駆動電流回路において前記開閉弁の他端側に介在する第２スイッチ手段と、前記開閉弁が通電状態であって前記炎検知回路からの信号により炎無しと判断される場合、前記バーナにおける失火と判断して前記第１スイッチ手段を導通状態から遮断状態へ切替える失火対処回路と、前記失火対処回路への入力を実際の熱電対の出力に基づく第１の信号と炎無しを示す固定レベルの第２の信号とへ切替える第３スイッチ手段と、点火シーケンスの実施に先立ち前記失火対処回路の診断シーケンスを実施する診断手段と、を備え、前記失火対処回路は、失火検知時以外は、第１スイッチ手段を導通状態に保持するものであり、前記診断手段は、前記診断シーケンスの第１段階では、前記第２スイッチ手段を遮断状態にして、前記第１スイッチ手段と前記第２スイッチ手段との間の検査電圧を調べ、該検査電圧が前記第１スイッチ手段の遮断状態を示すものであれば、前記点火シーケンスの実施は保留し、該検査電圧が前記第１スイッチ手段の導通状態を示すものであれば、前記診断シーケンスの第２段階へ移行し、前記診断シーケンスの第２段階では、前記第３スイッチ手段により前記失火対処回路への入力を前記第２の信号にした状態であって前記第２スイッチ手段を導通状態にした状態の前記検査電圧を調べ、前記検査電圧が前記第１スイッチ手段の導通状態を示すものであれば、前記点火シーケンスの実施は保留することを特徴とする。
【００１３】
第１発明によれば、診断シーケンスの第１段階において、検査電圧が第１スイッチ手段の遮断状態を示すものであるか否かを調べることにより、失火対処回路が失火検知時以外は第１スイッチ手段を正しく導通状態にしているかを適切に診断することができる。
【００１４】
さらに、第２スイッチ手段を導通状態にし、開閉弁を通電状態にしたときに、第３スイッチ手段により失火対処回路の入力信号を、炎無しを示す固定レベルの第２の信号に切替えて、失火対処回路が失火に対して第１スイッチ手段を遮断状態にするか否かを調べる。したがって、バーナにおける前回の燃焼終了からあまり間が経っていない等の理由により、炎検知器が実際の炎の有無とは異なる出力を出している状況下においても、失火対処回路が失火に対して正しく作動するかを適切に診断することができる。
【００１５】
第２発明のガス燃焼装置は、第１発明のガス燃焼装置において、前記失火対処回路は、前記開閉弁と前記第２スイッチ手段との間の電圧が前記第２スイッチ手段の導通状態から遮断状態への変化を示すものであれば、前記開閉弁が非通電であると判断し、前記第１スイッチ手段を遮断状態から導通状態へ切替えるものであり、前記診断手段は、前記診断シーケンスの第２段階において、前記検査電圧が前記第１スイッチ手段の遮断状態を示すものであれば、前記診断シーケンスの第３段階へ移行し、前記診断シーケンスの第３段階では、前記第２スイッチ手段を導通状態から遮断状態へ切替えてから、前記検査電圧を調べ、前記検査電圧が前記第１スイッチ手段の遮断状態を示すものであれば、前記点火シーケンスの実施は保留することを特徴とする。
【００１６】
失火対処回路は、点火シーケンスの開始時に、第１スイッチ手段を導通状態にしていないと、点火シーケンスにおいてガスの点火が適切に行われなくなってしまう。第２発明によれば、診断シーケンスの第３段階では、前記第２スイッチ手段を導通状態から遮断状態へ切替えてから、前記検査電圧を調べることにより、診断手段は、失火対処回路が点火シーケンスの開始時に第１スイッチ手段を正しく導通状態にしているかを診断することができる。
【００１７】
第３発明のガス燃焼装置は、第１又は第２発明のガス燃焼装置において、前記失火対処回路は、前記開閉弁と前記第２スイッチ手段との間の電圧が前記第２スイッチ手段が導通状態となったときに、タイマを作動開始させて、該タイマの設定時間経過した時に、前記炎検知入力に基づき前記バーナにおける失火の有無を判断し失火検知時には前記第１スイッチ手段を導通状態から遮断状態へ切替えるものであり、前記診断手段は、前記診断シーケンスにおける前記タイマの設定時間を、前記点火シーケンスにおける前記タイマの設定時間より短くするものであることを特徴とする。
【００１８】
失火対処回路は、点火シーケンスでは、その開始時にガス弁コイルに通電され、ガス弁コイルが通電してから所定時間の経過後に失火判断させるために、タイマが使用される。しかしながら、失火対処回路がタイマの設定時間経過後に失火判断をすると、診断シーケンスの処理時間が長大化してしまう。第３発明によれば、診断手段が、診断シーケンスにおけるタイマの設定時間を、点火シーケンスにおけるタイマの設定時間より短くすることにより、失火対処回路は診断シーケンスの第２段階の開始から失火判断を行うまでの時間を短くして、第２段階に要する時間を短縮することができる。
【図面の簡単な説明】
【００１９】
【図１】湯沸かし器の要部の構成図。
【図２】診断シーケンスのフローチャート。
【発明を実施するための形態】
【００２０】
本発明は、電池電圧で作動する湯沸かし器１０に用いられる炎検知装置である。
【００２１】
図１において、Ｓ１〜Ｓ７は診断シーケンス及び点火シーケンスに関連する信号を示している。
【００２２】
ガス供給路１１はガスをバーナ１２へ導き、ガス弁１３は、ガス供給路１１に介在して、ガス弁コイル２２を通電、遮断（非通電）することによりガス供給路１１を開閉する。ガスはバーナ１２から噴出し、噴出ガスは、点火電極（図示せず）により点火されて、炎１５を生成する。熱電対１４は、バーナ１２の近傍に配設され、周囲温度に応じた電圧を出力するものであり、炎１５が生成されている時には、炎１５により加熱されるようになっている。熱電対１４は、高温に加熱されているときほど、出力レベルを上昇させる。
【００２３】
ＦＥＴ２１、ガス弁１３のガス弁コイル２２及びＦＥＴ２３は、その順番に直流電圧端子２０の方から直列に接続され、直流電圧端子２０とアースとの間に介在し、ガス弁コイル２２の駆動電流回路を構成する。ＦＥＴ２１は、通常時は導通状態（オン）にされており、失火対処回路３２からのスイッチＯＦＦ指令Ｓ７により遮断状態（オフ）を切替えられる。応答信号Ｓ２は、ＦＥＴ２１とＦＥＴ２３との間の電圧レベルを示すことによりＦＥＴ２１のスイッチング状態をマイコン３７へ入力する。
【００２４】
ＦＥＴ２３は、マイコン３７からのスイッチ指令Ｓ３により導通状態及び遮断状態を切替えられる。応答信号Ｓ６は、ガス弁コイル２２とＦＥＴ２３との間の電圧レベルを示すとともに、ＦＥＴ２３のスイッチング状態によりガス弁コイル２２の通電状態を失火対処回路３２へ入力する。
【００２５】
熱電対１４は、一端側においてＦＥＴ２９を介して炎検知回路２８へ接続され、他端側においてアースへ接続されている。ＦＥＴ２９は、マイコン３７からのスイッチ指令Ｓ４により導通状態及び遮断状態を切替えられる。
【００２６】
炎検知回路２８は、ＦＥＴ２９が導通状態であるときは、入力端子に熱電対１４の熱起電力が入力され、該入力端子の入力レベルが閾値に対して、大小どちらになっているかにより"Ｈ"（高レベル）又は"Ｌ"（低レベル）を検知信号Ｓ５として失火対処回路３２及びマイコン３７へ出力する。炎検知回路２８の入力端子は、ＦＥＴ２９が遮断状態であって、熱電対１４の出力を入力されていないときには、閾値より下のアースレベルにプルダウンされ、その結果、炎検知回路２８はＳ５として"Ｌ"を出力することになる。
【００２７】
失火対処回路３２は、信号Ｓ５及びＳ６と内蔵タイマ（図示せず）とに基づきＦＥＴ２１へスイッチＯＦＦ指令Ｓ７を出力する。タイマ加速回路３３は、マイコン３７からのセルフチェック指令Ｓ１に基づき失火対処回路３２の内蔵タイマの設定時間を切替える。具体的には、Ｓ１がオフであるとき、該内蔵タイマの設定時間を通常の所定時間Ｔ１（Ｔ１＞０）とし、Ｓ１がオンであるとき、該内蔵タイマの設定時間を０に維持する。
【００２８】
失火対処回路３２の内蔵タイマは、例えば、ＣＲ回路から構成され、該ＣＲ回路の時定数が該内蔵タイマの設定時間に対応付けられている。設定時間を０に設定するときは、時定数をほぼ０にするために、例えばＣＲ回路のＲ（抵抗）の両端を短絡する。
【００２９】
湯沸かし器１０の使用者は、バーナ１２におけるガスの燃焼の開始を指示する時、運転スイッチ３８を押下し、バーナ１２におけるガスを燃焼させ、燃焼中に再度、運転スイッチを押圧し、燃焼停止を指示する。
【００３０】
次に湯沸かし器１０の燃焼運転開始に伴う処理について図２のフローチャートに従って説明する。なお、湯沸かし器１０は本発明のガス燃焼装置に相当する。ガス弁１３は本発明における開閉弁に相当する。ガス弁１３は、そのガス弁コイル２２に通電されることにより開弁される。ＦＥＴ２１，２３，２９はそれぞれ本発明における第１、第２及び第３スイッチ手段に相当する。マイコン３７には、本発明における診断手段を含んでいる。本発明における失火対処回路３２の炎検知入力は炎検知回路２８の出力に相当し、炎検知回路２８の出力は、ＦＥＴ２９の導通状態時では、炎検知器としての熱電対１４の出力に基づくものになっており、また、ＦＥＴ２９の遮断状態時では、アースレベルにプルダウンされた炎検知回路２８の入力に対応する固定レベルとなっている。
【００３１】
マイコン３７は、図２のフローチャートに係る処理をＲＯＭ（図示せず）のプログラムに従って実行する。該フローチャートにおいて、ＳＴＥＰ４０，４１の処理は本発明における診断シーケンスの第１段階に相当し、ＳＴＥＰ４２，４３の処理は本発明における診断シーケンスの第２段階に相当し、ＳＴＥＰ４４，４５の処理は本発明における診断シーケンスの第３段階に相当する。
【００３２】
湯沸かし器１０の使用者はバーナ１２におけるガスの燃焼を開始する時、運転スイッチ３８を押下する。ＳＴＥＰ４０において、燃焼運転開始の指示がありしだい、ＳＴＥＰ４１へ進む。ＳＴＥＰ４１では、応答信号Ｓ２が"Ｈ"及び"Ｌ"のいずれになっているかを判定し、"Ｈ"であれば、ＦＥＴ２１が導通状態であり、失火対処回路３２は正常であるとし、ＳＴＥＰ４２へ進み、"Ｌ"であれば、Ｒ５２へ進み、Ｒ５２を実行する。
【００３３】
Ｒ５２は、燃焼運転を終了するルーチンであり、湯沸かし器１０が正常に運転されていて、使用者がバーナ１２の燃焼を終了する時にも実施される。バーナ１２における燃焼運転開始指示時におけるＲ５２の実行の結果、当然に、マイコン３７はＲ５１の点火シーケンスの実行を中止する。
【００３４】
マイコン３７は、Ｒ５２の終了ルーチンにおいて、失火対処回路３２を含む電気素子や直流電圧端子２０への給電を停止する。
【００３５】
ＳＴＥＰ４２では、マイコン３７は、セルフチェック指令Ｓ１をオンにし、スイッチ指令Ｓ３をオン、Ｓ４をオフにする。
【００３６】
なお、セルフチェック指令Ｓ１のオンは、タイマ加速回路３３に失火対処回路３２のタイマの設定時間を０にするものであり、セルフチェック指令Ｓ１のオフは、タイマ加速回路３３に失火対処回路３２のタイマの設定時間を、点火シーケンス実行時のＴ１（Ｔ１＞０）にするものである。また、スイッチ指令のオンは、その出力先のＦＥＴを導通状態にさせるものであり、スイッチ指令のオフはその出力先のＦＥＴを遮断状態にさせるものである。
【００３７】
ＳＴＥＰ４２におけるセルフチェック指令Ｓ１のオン、スイッチ指令Ｓ３のオン、及びスイッチ指令Ｓ４のオフに伴い、タイマ加速回路３３に失火対処回路３２のタイマの設定時間は０になり、ＦＥＴ２３は導通状態に切替わり、ＦＥＴ２９は遮断状態に切替わる。
【００３８】
失火対処回路３２は、応答信号Ｓ６が"Ｈ"から"Ｌ"へ切替わった時を内蔵タイマの作動開始時点と判断し、切替わり時から、内蔵タイマの設定時間が経過するのを待ち、設定時間が経過すると、Ｓ５が"Ｈ"か"Ｌ"かに基づきスイッチＯＦＦ指令Ｓ７を出力する。
【００３９】
応答信号Ｓ６が”Ｈ”から”Ｌ”へ切り替わり、失火対処回路３２の内蔵タイマの設定時間は０にされたので、ＳＴＥＰ４２の実行後、ほぼ即座に、失火対処回路３２はＳ５が"Ｈ"か"Ｌ"かを判断する。また、ＳＴＥＰ４２においてＦＥＴ２９は遮断状態に切替わったので、炎検知回路２８は、熱電対１４の出力に関係なく、Ｓ５は炎無しを示す"Ｌ"を出力している。
【００４０】
こうして、失火対処回路３２は、それが正常であれば、ＳＴＥＰ４２の実行後、直ちに失火と判断して、スイッチＯＦＦ指令Ｓ７を出力し、ＦＥＴ２１を遮断状態にする。また、失火対処回路３２は、作動不良状態であれば、ＳＴＥＰ４２の実行後も、ＦＥＴ２１は導通状態を維持する。
【００４１】
ＳＴＥＰ４３では、応答信号Ｓ２が"Ｈ"及び"Ｌ"のいずれになっているかを判定し、"Ｌ"であれば、失火対処回路３２が正常に作動したとして、ＳＴＥＰ４４へ進み、"Ｈ"であれば、Ｒ５２へ進み、Ｒ５２を実行する。
【００４２】
ＳＴＥＰ４４では、マイコン３７は、セルフチェック指令Ｓ１をオフに切替え、スイッチ指令Ｓ３をオフ，Ｓ４をオンに切替える。セルフチェック指令Ｓ１のオフは、タイマ加速回路３３に、失火対処回路３２のタイマの設定時間を０から元の設定時間Ｔ１に復帰させる処理を行わせる。
【００４３】
こうして、熱電対１４の出力は、ＦＥＴ２９を介して炎検知回路２８へ入力され、炎検知回路２８は、熱電対１４が検知した温度に応じて出力を生成する。
【００４４】
失火対処回路３２は、応答信号Ｓ６が"Ｌ"から"Ｈ"へ切替わったこと変化したことを検知すると、マイコン３７により正常にＦＥＴ２３が遮断されたとして、スイッチＯＦＦ指令Ｓ７を止め、ＦＥＴ２１を遮断状態から導通状態に切替えて、点火シーケンスの開始に備える。失火対処回路３２は、作動不良状態であれば、Ｓ６が"Ｌ"及び"Ｈ"へ変化しても、スイッチＯＦＦ指令Ｓ７を維持したままとなり、ＦＥＴ２１は導通状態のままとなる。
【００４５】
ＳＴＥＰ４５では、応答信号Ｓ２が"Ｈ"及び"Ｌ"のいずれになっているかを判定し、"Ｈ"であれば、Ｒ５１へ進み、"Ｌ"であれば、Ｒ５２へ進み、Ｒ５２を実行する。
【００４６】
Ｒ５１では、マイコン３７は、スイッチ指令Ｓ３をオフからオンへ切替えて、周知の点火シーケンスを開始する。
【００４７】
本発明のガス燃焼装置は、湯沸かし器１０に限定されず、温風暖房機やその他のガス燃焼装置にも適用可能である。
【００４８】
図２のフローチャートでは、スイッチ指令Ｓ４のオフはＳＴＥＰ４２においてスイッチ指令Ｓ３のオンと同時に出力されているが、ＳＴＥＰ４３における応答信号Ｓ２の判定時に、スイッチ指令Ｓ３がオフでかつスイッチ指令Ｓ４がオフになっていることが保証されれば、スイッチ指令Ｓ４のオフはスイッチ指令Ｓ３より前に出力しても、後に出力してもよい。
【００４９】
図１では、ＦＥＴ２９は熱電対１４と炎検知回路２８の入力端子との間に介在しているが、ＦＥＴ２９は熱電対１４と炎検知回路２８の入力端子との接続回路とアースとの間に介在するようになっていてもよい。さらに、ＦＥＴ２９は、熱電対１４と炎検知回路２８の入力端子との間に代えて、炎検知回路２８と失火対処回路３２との間に介在させることもできる。
【符号の説明】
【００５０】
１０・・・湯沸かし器（ガス燃焼装置）、１１・・・ガス供給路、１２・・・バーナ、１３・・・ガス弁（開閉弁）、１４・・・熱電対、１５・・・炎、２１・・・ＦＥＴ（第１スイッチ手段）、２３・・・ＦＥＴ（第２スイッチ手段）、２８・・・炎検知回路、２９・・・ＦＥＴ（第３スイッチ手段）、３２・・・失火対処回路、３３・・・タイマ加速回路、３７・・・マイコン（診断手段）、３８・・・点火スイッチ。
【図１】
0005430593.tif 000002
【図２】
0005430593.tif 000003